(57)【特許請求の範囲】
【請求項１】
エチレン−極性モノマー共重合体、架橋剤を含む太陽電池用封止膜であって、
更に、白色のフッ素樹脂微粒子を、前記エチレン−極性モノマー共重合体１００質量部に対して３〜４０質量部含むことを特徴とする太陽電池用封止膜。
【請求項２】
前記フッ素樹脂微粒子の平均粒径が、１〜５０μｍである請求項１に記載の太陽電池用封止膜。
【請求項３】
前記フッ素樹脂微粒子のフッ素樹脂が、ポリテトラフルオロエチレンである請求項１又は２に記載の太陽電池用封止膜。
【請求項４】
前記エチレン−極性モノマー共重合体が、エチレン−酢酸ビニル共重合体である請求項１〜３のいずれか１項に記載の太陽電池用封止膜。
【請求項５】
更に、架橋助剤を含む請求項１〜４のいずれか１項に記載の太陽電池用封止膜。
【請求項６】
前記架橋助剤が、トリアリルイソシアヌレートである請求項５に記載の太陽電池用封止膜。
【請求項７】
表面側透明保護部材と裏面側保護部材との間に封止膜を介在させて、太陽電池用セルを封止してなる太陽電池において、
前記太陽電池用セルと前記裏面側保護部材との間の封止膜が請求項１〜６の何れか１項に記載の太陽電池用封止膜である太陽電池。
【発明の詳細な説明】
【技術分野】
【０００１】
本発明は、エチレン−極性モノマー共重合体、架橋剤を含む太陽電池用封止膜に関し、特に電気絶縁性の低下が抑制された太陽電池用封止膜に関する。
【背景技術】
【０００２】
近年、資源の有効利用や環境汚染の防止等の面から、太陽光を電気エネルギーに直接、変換する太陽電池が広く使用され、更に生産性や耐久性の点から開発が進められている。
【０００３】
太陽電池は、一般に、図１に示すように、ガラス基板などからなる表面側透明保護部材１１、表面側封止膜１３Ａ、シリコン発電素子などの太陽電池用セル１４、裏面側封止膜１３Ｂ、及び裏面側保護部材（バックカバー）１２をこの順で積層し、減圧下で脱気した後、加熱加圧して表面側封止膜１３Ａ及び裏面側封止膜１３Ｂを架橋硬化させて接着一体化することにより製造される。従来の太陽電池では、高い電気出力を得るために、複数の太陽電池用セル１４を接続して用いられている。したがって、太陽電池用セル１４の絶縁性を確保するために、絶縁性のある封止膜１３Ａ、１３Ｂを用いて太陽電池用セルを封止している。
【０００４】
従来の太陽電池に用いられる表面側透明保護部材には、電池内に太陽光をなるべく効率よく入射させて太陽電池用セルに集光するために、ガラス基板などの透明基板が用いられている。一方、裏側保護部材には、電池内部への水分侵入などを防止するために、ポリエチレンテレフタレート（ＰＥＴ）などのプラスチックフィルムや、これらのプラスチックフィルム表面に銀からなる蒸着膜が形成されたものが用いられている。
【０００５】
また、表面側および裏面側に用いられる封止膜には、電池内部への異物や水分の侵入を防止すると共に、電池内部の太陽電池セルや電極間の絶縁性を確保できるようにすることが求められ、エチレン−酢酸ビニル共重合体（ＥＶＡ）、エチレン−エチルアクリレート共重合体（ＥＥＡ）などのエチレン−極性モノマー共重合体からなるフィルムが用いられている。
【０００６】
太陽電池では、入射した太陽光から発電した電気を確実に電池外部へ取り出すことが必要である。そのため、太陽電池用封止膜には電池内部の太陽電池セルや電極間の絶縁性を確保して、リーク電流の発生を防止する必要がある。
【０００７】
そして、太陽電池は、数十年以上とも言われるほど長期間に亘って、屋外など高温、高湿度、風雨に曝される過酷な環境下で使用される。特に、真夏の炎天下等、高温環境下での使用においては、従来の太陽電池では絶縁不良が発生して発電性能が低下する場合がある。したがって、エチレン−極性モノマー共重合体からなる封止膜には、高温環境下であっても優れた絶縁性を有することが求められている。
【０００８】
また、太陽電池の発電効率を向上させるために、太陽電池内に光をなるべく効率よく入射させて太陽電池用セルに集光することが望まれている。このため、裏面側封止膜として白色等に着色した封止膜を用いることにより、複数の太陽電池セルの隙間等から入射した太陽光を反射させて太陽電池の発電効率を向上させている（特許文献１）。
【先行技術文献】
【特許文献】
【０００９】
【特許文献１】特開２００２−１７０９７１号
【発明の概要】
【発明が解決しようとする課題】
【００１０】
しかしながら、封止膜に着色剤を配合すると、封止膜の絶縁性が低下する場合がある。これにより、電流のリークが生じ、太陽電池の発電効率が低下するという問題がある。
【００１１】
従って、本発明の目的は、太陽電池の裏面側の封止膜として使用する太陽電池用封止膜であって、電気絶縁性の低下、特に、高温環境下における電気絶縁性の低下が抑制され、太陽光の反射率が高い太陽電池用封止膜を提供することにある。また、この封止膜を用いた太陽電池を提供することにある。
【課題を解決するための手段】
【００１２】
上記目的は、エチレン−極性モノマー共重合体、架橋剤を含む太陽電池用封止膜であって、更に、白色のフッ素樹脂微粒子を、前記エチレン−極性モノマー共重合体１００質量部に対して３〜４０質量部含むことを特徴とする太陽電池用封止膜によって達成される。フッ素樹脂微粒子を配合することによって、高温環境下における電気絶縁性の低下を抑制することができ、また、高い光線反射率を得ることができる。
【００１３】
本発明に係る太陽電池用封止膜の好ましい態様は以下の通りである。
（１）フッ素樹脂微粒子の平均粒径が１〜５０μｍである。
（２）フッ素樹脂がポリテトラフルオロエチレンである。
（３）エチレン−極性モノマー共重合体が、エチレン−酢酸ビニル共重合体である。
（４）更に、架橋助剤を含む太陽電池用封止膜である。
（５）架橋助剤がトリアリルイソシアヌレートである。
【００１４】
また、上記目的は、表面側透明保護部材と裏面側保護部材との間に封止膜を介在させて、太陽電池用セルを封止してなる太陽電池において、太陽電池用セルと裏面側保護部材との間の封止膜が上記太陽電池用封止膜である太陽電池によっても達成される。
【発明の効果】
【００１５】
本発明によれば、特に、高温環境下における電気絶縁性の低下が抑制され、太陽光の反射率が高い太陽電池用封止膜を提供することができる。従って、これを太陽電池の裏面側封止膜として使用することで、発電効率が高い太陽電池を提供することができる。
【図面の簡単な説明】
【００１６】
【図１】一般的な太陽電池の概略断面図である。
【図２】接着力の評価である１８０℃ピール試験法を説明するための概略図である。
【発明を実施するための形態】
【００１７】
上述したように、本発明の太陽電池用封止膜は、エチレン−極性モノマー共重合体及び架橋剤に加えて、フッ素樹脂微粒子を含んでいる。フッ素樹脂微粒子の含有量は、エチレン−極性モノマー共重合体１００質量部に対して、３〜４０質量部である。フッ素樹脂微粒子を封止膜に配合すると、フッ素樹脂が有する電気絶縁性により、高温環境下においても絶縁性の低下を抑制することができる。また、白色であるフッ素樹脂微粒子を配合することにより高い光線反射率を有する封止膜が得られる。また、この配合量によれば、封止膜の接着力が低下することもない。
【００１８】
以下、本発明の太陽電池用封止膜について、より詳細に説明する。
【００１９】
［フッ素樹脂微粒子］
本発明において、フッ素樹脂はフッ素原子を含有する樹脂であって白色であればよい。フッ素樹脂の例としては、ポリテトラフルオロエチレン（ＰＴＦＥ）、ポリクロロトリフルオロエチレン（ＰＣＴＦＥ）、ポリフッ化ビニリデン（ＰＶＤＦ）、ポリフッ化ビニル（ＰＶＦ）、テトラフルオロエチレン−ヘキサフルオロプロピレン共重合体（ＦＥＰ）等が挙げられる。特にＰＴＦＥが好ましい。これらは１種単独で用いても、２種以上を組み合わせて用いてもよい。
【００２０】
フッ素樹脂微粒子の平均粒径は、１〜５０μｍ（最大粒径１０〜２５０μｍ）が好ましく、２〜２０μｍ（最大粒径１０〜１２０μｍ）が特に好ましい。平均粒径が上記範囲より小さいとフッ素樹脂微粒子が凝集し易く、分散させることが困難となる場合があり、上記範囲より大きいと十分な接着性が得られなくなる恐れがある。
【００２１】
なお、本発明において平均粒径は、太陽電池用封止膜を電子顕微鏡（好ましくは透過型電子顕微鏡）により倍率１００万倍程度で観測し、少なくとも１００個のフッ素樹脂微粒子の投影面積円相当径を求めた数平均値とする。
【００２２】
また、フッ素樹脂微粒子の含有量は、エチレン−極性モノマー共重合体１００質量部に対して、３〜４０質量部、特に５〜３０質量部が好ましい。フッ素樹脂微粒子の含有量がこの範囲より少ないと、電気絶縁性の低下を抑制する効果が十分に発揮されない場合がある。一方、上記範囲より多いと接着力が低下する恐れがある。
【００２３】
［エチレン−極性モノマー共重合体］
本発明においてエチレン−極性モノマー共重合体の極性モノマーは、不飽和カルボン酸、その塩、そのエステル、そのアミド、ビニルエステル、一酸化炭素等を例示することができる。より具体的には、アクリル酸、メタクリル酸、フマル酸、イタコン酸、マレイン酸モノメチル、マレイン酸モノエチル、無水マレイン酸、無水イタコン酸等の不飽和カルボン酸、これら不飽和カルボン酸のリチウム、ナトリウム、カリウムなどの１価金属の塩やマグネシウム、カルシウム、亜鉛などの多価金属の塩、アクリル酸メチル、アクリル酸エチル、アクリル酸イソプロピル、アクリル酸イソブチル、アクリル酸ｎ−ブチル、アクリル酸イソオクチル、メタクリル酸メチル、メタクリル酸エチル、メタクリル酸イソブチル、マレイン酸ジメチル等の不飽和カルボン酸エステル、酢酸ビニル、プロピオン酸ビニルのようなビニルエステル、一酸化炭素、二酸化硫黄などの一種又は二種以上などを例示することができる。
【００２４】
エチレン−極性モノマー共重合体として、より具体的には、エチレン−アクリル酸共重合体、エチレン−メタクリル酸共重合体のようなエチレン−不飽和カルボン酸共重合体、前記エチレン−不飽和カルボン酸共重合体のカルボキシル基の一部又は全部が上記金属で中和されたアイオノマー、エチレン−アクリル酸メチル共重合体、エチレン−アクリル酸エチル共重合体、エチレン−メタクリル酸メチル共重合体、エチレン−アクリル酸イソブチル共重合体、エチレン−アクリル酸ｎ−ブチル共重合体のようなエチレン−不飽和カルボン酸エステル共重合体、エチレン−アクリル酸イソブチル−メタクリル酸共重合体、エチレン−アクリル酸ｎ−ブチル−メタクリル酸共重合体のようなエチレン−不飽和カルボン酸エステル−不飽和カルボン酸共重合体及びそのカルボキシル基の一部又は全部が上記金属で中和されたアイオノマー、エチレン−酢酸ビニル共重合体のようなエチレン−ビニルエステル共重合体等を代表例として例示することができる。
【００２５】
エチレン−極性モノマー共重合体としては、ＪＩＳ Ｋ７２１０で規定されるメルトフローレートが、３５ｇ／１０分以下、特に３〜６ｇ／１０分のものを使用するのが好ましい。このようなメルトフローレート有するエチレン−極性モノマー共重合体を用いた太陽電池用封止膜によれば、太陽電池作製時の封止工程における加熱加圧の際に、封止膜が溶融や位置ズレを起こして基板の端部からはみ出でるのを抑制することができる。なお、本発明において、メルトフローレート（ＭＦＲ）の値は、ＪＩＳ Ｋ７２１０に従い、１９０℃、荷重２１．１８Ｎの条件に基づいて測定されたものである。
【００２６】
エチレン−極性モノマー共重合体としては、エチレン−酢酸ビニル共重合体（ＥＶＡとも言う）が特に好ましい。これにより、安価であり、柔軟性に優れる太陽電池用封止膜を形成することができる。
【００２７】
エチレン−酢酸ビニル共重合体における酢酸ビニルの含有量は、前記エチレン−酢酸ビニル共重合体に対して２０〜３５質量％、さらに２２〜３０質量％、特に２４〜２８質量％とするのが好ましい。酢酸ビニルの含有量が、２０質量％未満であると、封止膜用組成物の流動性が低くなり、太陽電池用封止膜の加工性が低下する恐れがあり、３５質量％を超えると、カルボン酸、アルコール、アミン等が発生し封止膜と保護部材との界面で発泡が生じ易くなる恐れがある。
【００２８】
本発明の太陽電池封止膜は、エチレン−極性モノマー共重合体に加えて、さらにポリビニルアセタール系樹脂（例えば、ポリビニルホルマール、ポリビニルブチラール（ＰＶＢ樹脂）、変性ＰＶＢ）、塩化ビニル樹脂を副次的に使用しても良い。その場合、特にＰＶＢが好ましい。
【００２９】
［架橋剤］
本発明の封止膜に用いられる架橋剤は、エチレン−極性モノマー共重合体の架橋構造を形成することができるものである。架橋剤は、有機過酸化物又は光重合開始剤を用いることが好ましい。なかでも、接着力、耐湿性、耐貫通性の温度依存性が改善された封止膜が得られることから、有機過酸化物を用いるのが好ましい。
【００３０】
前記有機過酸化物としては、１００℃以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。特に、半減期１０時間の分解温度が７０℃以上のものが好ましい。
【００３１】
前記有機過酸化物としては、樹脂の加工温度・貯蔵安定性の観点から例えば、ベンゾイルパーオキサイド系硬化剤、ｔｅｒｔ−ヘキシルパーオキシピバレート、ｔｅｒｔ−ブチルパーオキシピバレート、３，５，５−トリメチルヘキサノイルパーオキサイド、ジ−ｎ−オクタノイルパーオキサイド、ラウロイルパーオキサイド、ステアロイルパーオキサイド、１，１，３，３−テトラメチルブチルパーオキシ−２−エチルヘキサノエート、スクシニックアシドパーオキサイド、２，５−ジメチル−２，５−ジ（ｔｅｒｔ−ブチルパーオキシ）ヘキサン、２，５−ジメチル−２，５−ジ（２−エチルヘキサノイルパーオキシ）ヘキサン、１−シクロヘキシル−１−メチルエチルパーオキシ−２−エチルヘキサノエート、ｔｅｒｔ−ヘキシルパーオキシ−２−エチルヘキサノエート、４−メチルベンゾイルパーオキサイド、ｔｅｒｔ−ブチルパーオキシ−２−エチルヘキサノエート、ｍ−トルオイル＋ベンゾイルパーオキサイド、ベンゾイルパーオキサイド、１，１−ビス（ｔｅｒｔ−ブチルパーオキシ）−２−メチルシクロヘキサネート、１，１−ビス（ｔｅｒｔ−ヘキシルパーオキシ）−３，３，５−トリメチルシクロヘキサネート、１，１−ビス（ｔｅｒｔ−ヘキシルパーオキシ）シクロヘキサネート、１，１−ビス（ｔｅｒｔ−ブチルパーオキシ）−３，３，５−トリメチルシクロヘキサン、１，１−ビス（ｔｅｒｔ−ブチルパーオキシ）シクロヘキサン、２，２−ビス（４，４−ジ−ｔｅｒｔ−ブチルパーオキシシクロヘキシル）プロパン、１，１−ビス（ｔｅｒｔ−ブチルパーオキシ）シクロドデカン、ｔｅｒｔ−ヘキシルパーオキシイソプロピルモノカーボネート、ｔｅｒｔ−ブチルパーオキシマレイックアシド、ｔｅｒｔ−ブチルパーオキシ−３，３，５−トリメチルヘキサン、ｔｅｒｔ−ブチルパーオキシラウレート、２，５−ジメチル−２，５−ジ（メチルベンゾイルパーオキシ）ヘキサン、ｔｅｒｔ−ブチルパーオキシイソプロピルモノカーボネート、ｔｅｒｔ−ブチルパーオキシ−２−エチルヘキシルモノカーボネート、ｔｅｒｔ−ヘキシルパーオキシベンゾエート、２，５−ジ−メチル−２，５−ジ（ベンゾイルパーオキシ）ヘキサン、等が挙げられる。
【００３２】
ベンゾイルパーオキサイド系硬化剤としては、７０℃以上の温度で分解してラジカルを発生するものであればいずれも使用可能であるが、半減期１０時間の分解温度が５０℃以上のものが好ましく、調製条件、成膜温度、硬化（貼り合わせ）温度、被着体の耐熱性、貯蔵安定性を考慮して適宜選択できる。使用可能なベンゾイルパーオキサイド系硬化剤としては、例えば、ベンゾイルパーオキサイド、２，５−ジメチルヘキシル−２，５−ビスパーオキシベンゾエート、ｐ−クロロベンゾイルパーオキサイド、ｍ−トルオイルパーオキサイド、２，４−ジクロロベンゾイルパーオキサイド、ｔ−ブチルパーオキシベンゾエート等が挙げられる。ベンゾイルパーオキサイド系硬化剤は１種でも２種以上を組み合わせて使用してもよい。
【００３３】
有機過酸化物として、特に、２，５−ジメチル−２，５−ジ（ｔｅｒｔ−ブチルパーオキシ）ヘキサン、１，１−ビス（ｔｅｒｔ−ヘキシルパーオキシ）−３，３，５−トリメチルシクロヘキサンが好ましい。これにより、優れた絶縁性を有する太陽電池用封止膜が得られる。
【００３４】
前記有機過酸化物の含有量は、エチレン−極性モノマー共重合体１００質量部に対して、好ましくは０．１〜３質量部、より好ましくは０．２〜２質量部であることが好ましい。前記有機過酸化物の含有量は、少ないと得られる封止膜の絶縁性が低下する恐れがあり、多くなると共重合体との相溶性が悪くなる恐れがある。
【００３５】
また、光重合開始剤としては、公知のどのような光重合開始剤でも使用することができるが、配合後の貯蔵安定性の良いものが望ましい。このような光重合開始剤としては、例えば、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１などのアセトフェノン系、ベンジルジメチルケタ−ルなどのベンゾイン系、ベンゾフェノン、４−フェニルベンゾフェノン、ヒドロキシベンゾフェノンなどのベンゾフェノン系、イソプロピルチオキサントン、２−４−ジエチルチオキサントンなどのチオキサントン系、その他特殊なものとしては、メチルフェニルグリオキシレ−トなどが使用できる。特に好ましくは、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１、ベンゾフェノン等が挙げられる。これら光重合開始剤は、必要に応じて、４−ジメチルアミノ安息香酸のごとき安息香酸系又は、第３級アミン系などの公知慣用の光重合促進剤の１種または２種以上を任意の割合で混合して使用することができる。また、光重合開始剤のみの１種単独または２種以上の混合で使用することができる。
【００３６】
前記光重合開始剤の含有量は、エチレン−極性モノマー共重合体１００質量部に対して０．５〜５．０質量部であることが好ましい。
【００３７】
［架橋助剤］
さらに、架橋硬化前の太陽電池用封止膜は、架橋助剤を含んでいることが好ましい。前記架橋助剤は、エチレン−極性モノマー共重合体の架橋密度を向上させ、架橋硬化後の膨潤度が低い太陽電池用封止膜を形成することができる。
【００３８】
前記架橋助剤は、エチレン−極性モノマー共重合体１００質量部に対して、好ましくは０．１〜３．０質量部、より好ましくは０．１〜２．５質量部で使用される。このような架橋助剤の含有量であれば、架橋助剤の添加によるガスの発生もなく、エチレン−極性モノマー共重合体の架橋密度を向上させることができる。
【００３９】
前記架橋助剤（官能基としてラジカル重合性基を有する化合物）としては、トリアリルシアヌレート、トリアリルイソシアヌレート、等の３官能の架橋助剤のほか、（メタ）アクリルエステル（例、ＮＫエステル等）の単官能又は２官能の架橋助剤等を挙げることができる。なかでも、トリアリルシアヌレート及び／又はトリアリルイソシアヌレートが好ましく、特にトリアリルイソシアヌレートが好ましい。
【００４０】
［接着性向上剤］
本発明の封止膜には、接着力向上の目的で、シランカップリング剤を更に含んでいても良い。シランカップリング剤としては、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシラン等を挙げることができる。これらシランカップリング剤は、単独で使用しても、又は２種以上組み合わせて使用しても良い。
【００４１】
また、シランカップリング剤の含有量は、エチレン−極性モノマー共重合体１００質量部に対して０．０１〜５質量部であることが好ましく、特に０．１〜２質量部が好ましい。
【００４２】
［その他］
本発明の封止膜は、膜の種々の物性（機械的強度、光学的特性、耐熱性、耐光性、架橋速度等）の改良あるいは調整、特に機械的強度の改良のため、必要に応じて、可塑剤、アクリロキシ基含有化合物、メタクリロキシ基含有化合物及び／又はエポキシ基含有化合物などの各種添加剤をさらに含んでいてもよい。
【００４３】
前記可塑剤としては、特に限定されるものではないが、一般に多塩基酸のエステル、多価アルコールのエステルが使用される。その例としては、ジオクチルフタレート、ジヘキシルアジペート、トリエチレングリコール−ジ−２−エチルブチレート、ブチルセバケート、テトラエチレングリコールジプタノエート、トリエチレングリコールジペラルゴネートを挙げることができる。可塑剤は一種用いてもよく、二種以上組み合わせて使用してもよい。可塑剤の含有量はエチレン−極性モノマー共重合体１００質量部に対して５質量部以下の範囲が好ましい。
【００４４】
前記アクリロキシ基含有化合物及び前記メタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドロフルフリル基、アミノエチル基、２−ヒドロキシエチル基、３−ヒドロキシプロピル基、３−クロロ−２−ヒドロキシプロピル基を挙げることができる。アミドの例としては、ジアセトンアクリルアミドを挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。
【００４５】
前記エポキシ含有化合物としては、トリグリシジルトリス（２−ヒドロキシエチル）イソシアヌレート、ネオペンチルグリコールジグリシジルエーテル、１，６−ヘキサンジオールジグリシジルエーテル、アリルグリシジルエーテル、２−エチルヘキシルグリシジルエーテル、フェニルグリシジルエーテル、フェノール（エチレンオキシ）５グリシジルエーテル、ｐ−ｔ−ブチルフェニルグリシジルエーテル、アジピン酸ジグリシジルエステル、フタル酸ジグリシジルエステル、グリシジルメタクリレート、ブチルグリシジルエーテルを挙げることができる。
【００４６】
前記アクリロキシ基含有化合物、前記メタクリロキシ基含有化合物、または前記エポキシ基含有化合物は、それぞれエチレン−極性モノマー共重合体１００質量部に対してそれぞれ一般に０．５〜５．０質量部、特に１．０〜４．０質量部含まれていることが好ましい。
【００４７】
更に、本発明の太陽電池用封止膜は、光安定剤、及び／又は老化防止剤を含んでいてもよい。
【００４８】
光安定剤を含有させることによって、照射された光などの影響によってエチレン−極性モノマー共重合体の劣化し、太陽電池用封止膜が黄変するのを抑制することができる。前記光安定剤としてはヒンダードアミン系と呼ばれる光安定剤を用いることが好ましく、例えば、ＬＡ−５２、ＬＡ−５７、ＬＡ−６２、ＬＡ−６３ＬＡ−６３ｐ、ＬＡ−６７、ＬＡ−６８（いずれもＡＤＥＫＡ社製）、Ｔｉｎｕｖｉｎ７４４、Ｔｉｎｕｖｉｎ  ７７０、Ｔｉｎｕｖｉｎ  ７６５、Ｔｉｎｕｖｉｎ１４４、Ｔｉｎｕｖｉｎ  ６２２ＬＤ、ＣＨＩＭＡＳＳＯＲＢ  ９４４ＬＤ（いずれもチバ・スペシャリティ・ケミカルズ社製）、ＵＶ−３０３４（Ｂ．Ｆ．グッドリッチ社製）等を挙げることができる。なお、上記光安定剤は、単独で使用しても、２種以上組み合わせて用いてもよく、その配合量は、エチレン−極性モノマー共重合体１００質量部に対して０．０１〜５質量部であることが好ましい。
【００４９】
前記老化防止剤としては、上記酸化防止剤の他、ラクトン系熱安定剤、ビタミンＥ系熱安定剤、イオウ系熱安定剤等が挙げられる。
【００５０】
上述した本発明の太陽電池用封止膜を形成するには、公知の方法に準じて行えばよい。
【００５１】
例えば、上述した各成分を含む組成物を、通常の押出成形、又はカレンダ成形（カレンダリング）等により成形してシート状物を得る方法により製造することができる。また、前記組成物を溶剤に溶解させ、この溶液を適当な塗布機（コーター）で適当な支持体上に塗布、乾燥して塗膜を形成することによりシート状物を得ることもできる。押出成形等を用いて加熱圧延することによって成膜する場合、加熱は一般に５０〜１００℃の範囲である。太陽電池用封止膜の厚さは、特に制限されないが、５０μｍ〜２ｍｍの範囲であれば良い。
【００５２】
本発明の太陽電池の構造としては、少なくとも本発明の太陽電池用封止膜を裏面側封止膜として用いていれば特に制限されない。例えば、表面側透明保護部材と裏面側保護部材との間に封止膜を介在させて太陽電池セル（太陽電池素子とも言う）を封止した構造などが挙げられる。
【００５３】
なお、本発明において、太陽電池セルの光が照射される側（受光面側）を「表面側」と称し、太陽電池セルの受光面とは反対面側を「裏面側」と称する。
【００５４】
前記太陽電池において、太陽電池用セルを十分に封止するには、図１に示すように表面側透明保護部材１１、表面側封止膜１３Ａ、太陽電池用セル１４、本発明の裏面側封止膜１３Ｂ及び裏面側保護部材１２を積層し、加熱加圧など常法に従って、封止膜を架橋硬化させればよい。表面側封止膜１３Ａとしては通常の透明な太陽電池用封止膜を使用する。
【００５５】
本発明の太陽電池は、反射光を有効利用しており、絶縁性の低下を抑制しているので発電効率が高い太陽電池である。
【００５６】
前記加熱加圧するには、例えば、前記積層体を、真空ラミネーターで温度１３５〜１８０℃、さらに１４０〜１８０℃、特に１５０〜１８０℃、脱気時間０．１〜５分、プレス圧力０．１〜１．５ｋｇ／ｃｍ2、プレス時間５〜１５分で加熱圧着すればよい。この加熱加圧時に、表面側封止膜１３Ａおよび裏面側封止膜１３Ｂに含まれるエチレン−極性モノマー共重合体を架橋させることにより、表面側封止膜１３Ａおよび裏面側封止膜１３Ｂを介して、表面側透明保護部材１１、裏面側透明部材１２、および太陽電池用セル１４を一体化させて、太陽電池用セル１４を封止することができる。
【００５７】
なお、本発明の太陽電池用封止膜は、図１に示したような単結晶又は多結晶のシリコン結晶系の太陽電池セルを用いた太陽電池だけでなく、薄膜シリコン系、薄膜アモルファスシリコン系太陽電池、セレン化銅インジウム（ＣＩＳ）系太陽電池等の薄膜太陽電池の封止膜にも使用することができる。この場合は、例えば、ガラス基板、ポリイミド基板、フッ素樹脂系透明基板等の表面側透明保護部材の表面上に化学気相蒸着法等により形成された薄膜太陽電池素子層上に、本発明の太陽電池用封止膜、裏面側保護部材を積層し、接着一体化させた構造が挙げられる。
【００５８】
本発明の太陽電池に使用される表面側透明保護部材１１は、通常珪酸塩ガラスなどのガラス基板であるのがよい。ガラス基板の厚さは、０．１〜１０ｍｍが一般的であり、０．３〜５ｍｍが好ましい。ガラス基板は、一般に、化学的に、或いは熱的に強化させたものであってもよい。
【００５９】
本発明で使用される裏面側保護部材１２は、ポリエチレンテレフタレート（ＰＥＴ）などのプラスチックフィルムが好ましく用いられる。耐熱性、耐湿熱性を考慮してフッ化ポリエチレンフィルム、特にフッ化ポリエチレンフィルム／Ａｌ／フッ化ポリエチレンフィルムをこの順で積層させたフィルムでもよい。
【００６０】
なお、本発明の太陽電池（薄膜太陽電池を含む）は、上述した通り、裏面側に用いられる封止膜に特徴を有する。したがって、表面側透明保護部材、裏面側保護部材、および太陽電池用セルなどの前記封止膜以外の部材については、従来公知の太陽電池と同様の構成を有していればよく、特に制限されない。
【実施例】
【００６１】
以下、本発明を実施例により説明する。
【００６２】
［実施例１〜８、比較例１〜７］
表１及び２に示す各配合で各材料をロールミルに供給し、６０〜１００℃で混練して太陽電池用封止膜組成物を調製した。前記太陽電池用封し膜組成物を、６０〜１００℃で、カレンダ成形し、放冷後、太陽電池用封止膜（厚さ０．４ｍｍ）を作製した。
【００６３】
（評価方法）
（１）体積固有抵抗値
作製した太陽電池用封止膜を二枚の離型ＰＥＴ（０．７５ｍｍ厚）を用いて、離型ＰＥＴ／太陽電池用封止膜／離型ＰＥＴの順となるように積層して積層体を得た。この積層体を、真空ラミネーターで真空下、１００℃において１０分間仮圧着した後、オーブンで１５０℃の条件で３０分間、加熱し架橋してサンプルを得た（サンプル形状：１００ｍｍ×
１００ｍｍ）。
【００６４】
作製した各サンプルについて、ハイレスタップ（三井化学（株）製）を用いて、６０℃環境下における体積固有抵抗（ｌｏｇ（Ω・ｍ））を測定した（印加電圧、１０００Ｖ×１分）。従来品の体積固有抵抗（１４．２未満）を参考に、１４．２以上であったものを合格とした。
【００６５】
（２）反射率
上記で作製した太陽電池用封止膜について、（１）と同様に積層体を作製し、架橋させてサンプルを得た（サンプル形状：５０ｍｍ×５０ｍｍ）。
【００６６】
作製した各サンプルについて、分光光度計Ｕ４１００（（株）日立ハイテクフィールディング製）を用いて、全反射モードで４００−１０００ｎｍの反射率を測定した。基準白板である酸化アルミに対する反射率を値としている。従来品の反射率の積算値（１０％以下）を参考に、反射率の積算値が１５％以上を合格とした。
【００６７】
（３）ガラス接着力
上記で作製した太陽電池用封止膜について、ガラス板／太陽電池用封止膜／離型ＰＥＴ（０．７５ｍｍ厚）の順となるように積層した。得られた積層体を上記と同様に架橋させた。作製したサンプルについて、接着力を１８０℃ピール試験（ＪＩＳ  Ｋ  ６５８４、１９９４年）により評価した。図２に試験方法を示す。
【００６８】
図示の通り、ガラス基板２１と太陽電池用封止膜２３との間の一部を剥離して、太陽電池用封止膜２３を１８０℃折り返して引張試験機（島津製作所社製、オートグラフ）を用いて引張速度１００ｍｍ／分時の引き剥がし力をガラス接着力［Ｎ／ｃｍ］として測定した。１５Ｎ／ｃｍ以上を合格とした。
【００６９】
上記各評価の結果を表１及び２に示す。
【００７０】
【表１】
0005604335.tif 000002
【００７１】
【表２】
0005604335.tif 000003
【００７２】
（評価結果）
実施例１〜８において、ＥＶＡ１００質量部に対して、ＰＴＦＥ微粒子（平均粒径：５μｍ）を３〜４０の質量部の範囲で配合して作製した太陽電池用封止膜を評価した。その結果、体積固有抵抗、反射率及びガラス接着力全ての項目において合格であった。
【００７３】
比較例１及び２において、ＰＴＦＥ微粒子の量を変更して（ＥＶＡ１００質量部に対して２質量部及び４５質量部）配合して作製した太陽電池用封止膜を評価した。その結果、ＰＴＦＥ微粒子を２質量部配合した封止膜は、体積固有抵抗が低下していた。また、４５質量部配合した封止膜は、ガラス接着力が低下していた。
【００７４】
比較例３〜６において、別の樹脂微粒子（ポリエチレン微粒子（平均粒径：２０〜３０μｍ）、ポリプロピレン微粒子（平均粒径：４μｍ））を表２に示す量で配合し、作製した封止膜を評価した。その結果、いずれの場合においても反射率は基準値を満たさなかった。
【００７５】
以上により、エチレン−極性モノマー共重合体１００質量部に対して、フッ素樹脂微粒子が３〜４０質量部配合された封止膜であれば、高温環境下での体積固有抵抗及び反射率が高く、ガラス接着力が低下しないことが示された。
【００７６】
なお、本発明は上記の実施の形態の構成及び実施例に限定されるものではなく、発明の要旨の範囲内で種々変形が可能である。
【産業上の利用可能性】
【００７７】
高温環境下においても電気絶縁性が高く、高い光線反射率を有する太陽電池用封止膜を用いることにより、発電効率の高い太陽電池を得ることができる。
【符号の説明】
【００７８】
１１      表面側透明保護部材
１２      裏面側保護部材
１３Ａ    表面側封止膜
１３Ｂ    裏面側封止膜
１４      太陽電池用セル
２１      ガラス基板
２３      太陽電池用封止膜
【図１】
0005604335.tif 000004
【図２】
0005604335.tif 000005